(57)【要約】【課題】カップ保持部で安定に飲料容器を収納保持することができ、かつカップ保持部不使用時には仕切りのない物入れとして使用することができる用途の広い自動車用カップホルダーを提供すること。【解決手段】外周が周壁１１で囲まれた矩形容器状の本体１０に、仕切壁２を設けて、上記本体１０内を飲料容器Ｄを保持するカップ保持部１ａと、物入れ部１ｂとに区画し、上記仕切壁２はその下縁２１を上記本体１０に回動可能に支持せしめて起倒可能となし、上記仕切壁２を倒して上記本体１０の底壁１２ａ上面に重ね合わせて上記カップ保持部１ａを物入れとして使用可能とする。【選択図】        図１
2004217145.tif 000002
【特許請求の範囲】
【請求項１】
外周が周壁で囲まれた矩形容器状の本体に、仕切壁を設けて、上記本体内を飲料容器を保持するカップ保持部と、物入れ部とに区画し、
上記仕切壁は、その下縁を上記本体に回動可能に支持せしめて起倒可能となし、上記仕切壁を倒して上記本体の底壁面に重ね合わせて上記カップ保持部を物入れとして使用可能としたことを特徴とする自動車用カップホルダー。
【請求項２】
請求項１に記載の自動車用カップホルダーにおいて、
上記本体の底壁に、上記仕切壁の下縁に係合して上記仕切壁を起立姿勢に保持する係合部を設けた自動車用カップホルダー。
【請求項３】
請求項２に記載の自動車用カップホルダーにおいて、
上記係合部として、上記仕切壁を垂直起立姿勢に保持する係合部と、上記仕切壁を上記カップ保持部側に傾斜した傾斜起立姿勢に保持する係合部を設け、上記カップ保持部で径の異なる複数種の飲料容器を保持可能とした自動車用カップホルダー。
【発明の詳細な説明】
【０００１】
【発明の属する技術分野】
本発明は、飲料容器等を収納保持する自動車用カップホルダーに関する。
【０００２】
【従来の技術】
従来、自動車用のカップホルダーには、運転席シートと助手席シートとの間に位置するセンターコンソールに組込まれたコンソール組込みタイプのものや、運転席シートと助手席シートとの間等の車室フロアに設置するコンパクトなトレータイプのものがある。
【０００３】
図７、図８は従来の代表的なコンソール組込みタイプのカップホルダーを示し、カップホルダー６はインストルメントパネル９の中央から車室フロアのセンターに沿って運転席シートＳ１と助手席シートＳ２との間に延びるセンターコンソール８の前後中間位置に設けられている。カップホルダー６は、センターコンソール８の上面中央に飲料容器Ｄを保持可能な凹状のカップ保持部６０を設けるとともに、カップ保持部６０を、支軸７０により上下方向回動自在に取付けられたカバー部材７により開閉するようにしてある。不使用時にはカバー部材７を閉じて収納部６０を覆い隠し、センターコンソール８の見栄えをよくする一方、使用時にはカバー部材７を開いて収納部６０内に飲料容器Ｄを収納保持せしめる。収納部６０の前方位置にはコインホルダ部６２が設けてあり、不使用時にカバー部材７で一体に覆い隠すようにしている（例えば、特許文献１参照。）。
【０００４】
図９および図１０は従来の代表的なトレータイプのカップホルダーを示す。カップホルダー５は、高さの低い容器状の合成樹脂からなる一体成形体で、複数の仕切壁５１ａ，５１ｂで仕切られた凹状のたばこ等の小物を入れる小物入れ５２と、複数の凹状のカップ保持部５３ａ，５３ｂが形成されている。
【０００５】
【特許文献１】
特開平０６−０２５０４０号公報
【０００６】
【発明が解決しようとする課題】
ところで、ミニバン等、運転席シートと助手席シートとの間の車室フロアを通路として前席と後席とを乗員が移動可能なウォークスルータイプの自動車では、上記センターコンソールが設けられないためセンターコンソール組込みタイプのカップホルダーを用いることができない。そこで、ウォークスルータイプの自動車には、前席と後席と移動する乗員の邪魔にならない小型の上記トレータイプのカップホルダー５が用いられている。しかしながら、トレータイプのカップホルダー５では、仕切壁５１ａ，５１ｂは固定であるから飲料容器以外にはたばこ等の小物しか収納することができず不便である。ユーザーのニーズとしては、常に使うとは限らないカップ保持部よりも、車内に常備するティッシュボックス等を収納することが可能なものが望まれている。
【０００７】
ウォークスルータイプの自動車では、乗員の移動を妨げないように通路上に上記カップホルダー５とこれとは別にティッシュボックス等を収納可能なトレーとを両方設置することが困難で、いずれか一方しか設置できない。上記トレーでは飲料容器を置いたときにこれを安定に保持することができず走行時の振動等で飲料容器が倒れるおそれがある。そこで本発明は、カップ保持部で安定に飲料容器を収納保持することができ、かつカップ保持部不使用時には仕切りのない物入れとして使用することができる用途の広い自動車用カップホルダーを提供することを課題としてなされたものである。また本発明は共通のカップ保持部で径の異なる飲料容器を安定に保持することができる自動車用カップホルダーを提供することを課題としてなされたものである。
【０００８】
【課題を解決するための手段】
本発明は、外周が周壁で囲まれた矩形容器状の本体に、仕切壁を設けて、上記本体内を飲料容器を保持するカップ保持部と、物入れ部とに区画し、上記仕切壁はその下縁を上記本体に回動可能に支持せしめて起倒可能となし、上記仕切壁を倒して上記本体の底壁面に重ね合わせて上記カップ保持部を物入れとして使用可能とする（請求項１）。カップ保持部と物入れ部とを仕切る仕切壁を起倒可能に設けたので、必要に応じて、仕切壁を起立せしめてカップ保持部で飲料容器を収納保持する一方、仕切壁を倒して仕切りのない物入れとして使用することができ、用途が広く使い勝手がよい。
【０００９】
上記本体の底壁に、上記仕切壁の下縁に係合して上記仕切壁を起立姿勢に保持する係合部を設ける（請求項２）。上記係合部として、上記仕切壁を垂直起立姿勢に保持する係合部と、上記仕切壁を上記カップ保持部側に傾斜した傾斜起立姿勢に保持する係合部を設け、上記カップ保持部で径の異なる複数種の飲料容器を保持可能とする（請求項３）。カップ保持部に飲料容器を収納するとき、径の異なる複数種の容器を安定に保持でき、カップホルダーとしての使い勝手がよい。
【００１０】
【発明の実施の形態】
本発明の実施形態を説明する。図１ないし図３に示すように、カップホルダー１は、外周が周壁１１で囲まれた前後方向に長い長方形容器状をなす合成樹脂の本体１０に、その内部を長手方向に２分割する仕切壁２を起倒回動自在に設け、仕切壁２により本体１０内をカップ保持部１ａと物入れ部１ｂとに区画するようにしてある。
【００１１】
容器状をなす本体１０内部の全体の大きさは、ティッシュボックスＴ等が収納可能な大きさに形成してあり、本体１０内の長手方向後方の約３分の１の範囲を上記仕切壁２で区画して、この範囲でカップ保持部１ａを形成するようにしている。カップ保持部１ａの横幅は、物入れ部１ｂの横幅よりも若干広めで、左右横方向に２つの飲料容器Ｄが保持できるようにしてある。
【００１２】
本体１０の周壁１１は、外側面をなす外壁１１ａと、底壁１２ａ，１２ｂの外周縁から上方へ起立する内壁１１ｂとからなる二重構造で、外壁１１ａと内壁１１ｂとは上部がつながっている。本体１０は、その外壁１１ａからなる外形状を横幅が一定の長方形に形成してあり、内壁１１ｂには、カップ保持部１ａと物入れ部１ｂとの境界に段差１１１を設け、カップ保持部１ａの横幅内寸のみを拡幅している。内壁１１ｂの段差１１１の上半部は物入れ部１ｂ側からカップ保持部１ａ側へ緩やかに拡幅する傾斜面状に形成してある。上記段差１１１の縦壁部は後述の仕切壁２の起立回動の範囲を規制するストッパをなす。
【００１３】
本体１０の底部にはカップ保持部１ａの底壁１２ａと、物入れ部１ｂの底壁１２ｂが設けてあり、カップ保持部１ａの底壁１２ａは物入れ部１ｂの底壁１２ｂよりも一段低くしてある。カップ保持部１ａの底壁１２ａと物入れ部１ｂの底壁１２ｂとの境界には、本体１０内部の幅方向全幅にわたって延びる断面ほぼＵ字形の溝１３が形成してある。本体１０の幅方向に沿う溝１３の中央部は、カップ保持部１ａの底壁１２ａの前方へ凸状の張り出す張出部１２１により溝幅が狭くしてある。尚、底壁１２ａの張出部１２１は仕切壁２の起立回動の範囲を規制するストッパをなす。
【００１４】
溝１３はその左右両側端が本体１０の内壁１１ｂの下端部で閉じてあり、溝１３の両側端には内壁１１ｂの下端部からそれぞれ溝１３の幅方向中央側へ向かって突出し、仕切壁２を支持する支軸１４が突設してある。溝１３の上記幅方向中央部には、仕切壁２を起立姿勢に保持する後述の第１および第２の係合部１５，１６が形成してある。また、カップ保持部１ａの底壁１２ａ後縁と本体１０の内壁１１ｂとの間にも本体１０内部の幅方向全幅にわたる溝１７が形成してある。
【００１５】
仕切壁２は合成樹脂からなる板体で、その外形形状および外形寸法がカップ保持部１ａの内形形状および内形寸法に合わせて成形してある。仕切壁２の下縁２１にはその左右両側端にそれぞれ軸受け２０が形成してある。仕切壁２は、下縁２１を上記溝１３に沿って挿入するとともに、左右の軸受け２０を溝１３の両側端の支軸１４に軸支せしめて前後に起倒回動自在に設けてある。仕切壁２は、ほぼ垂直に起立する垂直起立姿勢（図１（Ａ）および図２の実線に示す）から、カップ保持部１ａ側へ倒れ、物入れ部１ｂの底壁１２ｂとほぼ面一に、カップ保持部１ａの底壁１２ａおよびその前後の溝１３，１７を覆う倒伏姿勢（図１（Ｂ）、図２の鎖線および図３に示す）へと回動可能としてある。
【００１６】
仕切壁２の上縁２２には、その幅方向中央に、上縁２２からほぼ直角に屈折してカップ保持部１ａ側へ突出するほぼ台形状のフランジ２３が形成してある。フランジ２３は、カップ保持部１ａへ飲料容器Ｄを収納したとき飲料容器Ｄの側面に当接して飲料容器Ｄを支え、仕切壁２を上記倒伏姿勢としたとき、本体１０の溝１７内に進入し、かつフランジ２３の突出端が溝１７の底面に当接して仕切壁２の上縁２２側を物入れ部１ｂの底壁１２ｂとほぼ面一となるように支える。
【００１７】
図２および図４に示すように、仕切壁２は、その下縁２１が本体１０の上記第１の係合部１５と係合して上記垂直起立姿勢に保持される。第１の係合部１５は溝１３内に一体成形され、溝１３の底壁に設けたほぼコ字形をなすスリット１５１により左右の側縁および後縁の３方が上記底壁から切り離されて、溝１３の物入れ部１ｂ側の一方の溝壁１３１の下端から後方かつ水平方向に屈折して溝１３内へ突出する舌片状をなし、上記屈折部を中心に後縁が上下に弾性変形可能に形成してある。第１の係合部１５は、その後縁がほぼ垂直に起立した仕切壁２の下縁２１と対向する位置で、カップ保持部１ａの底壁１２ａ側の張出部１２１前端からなる溝１３の他方の溝壁寄りの位置へ突設してある。第１の係合部１５には、その後縁に仕切壁２の下縁２１を嵌合する嵌合溝部１５０を備えている。
【００１８】
第１の係合部１５は、仕切壁２を起立回動して上記垂直起立姿勢の直前位置まで回動したとき、仕切壁２の下縁２１が第１の係合部１５の後端の嵌合溝部１５０の手前の部位に当接し、更に仕切壁２を起立回動すると、下縁２１に押されて第１の係合部１５の後端が下方へ撓む。そして、仕切壁２が上記垂直起立姿勢となると、その下縁２１が第１の係合部１５の後端の嵌合溝部１５０に嵌合し、第１の係合部１５の弾性復帰力により仕切壁２を上記垂直起立姿勢に保持する。これによりカップ保持部１ａ内に大径の飲料容器Ｄ１を収納保持することができる。第１の係合部材１５は仕切壁２の上縁２２をカップ保持部１ａ側へ押すことで容易に係合解除できる。尚、仕切壁２が上記垂直起立姿勢を越えてオーバースィングし、下縁２１が嵌合溝部１５０を通過しても、仕切壁２の左右の両側縁が上記ストッパたる内壁１１ｂの上記段差１１１の縦壁部に当接し、かつ下縁２１が底壁１２ａのストッパたる張出部１２１に当接するので、仕切壁２は物入れ部１ｂ側へ倒れない。
【００１９】
また、図２および図５に示すように、仕切壁２は、下縁２１を上記第２の係合部１６に係合してカップ保持部１ａ側へ所定の角度に傾斜した傾斜起立姿勢に保持される。第２の係合部１６は第１の係合部１５とほぼ同一構造をなし溝１３内に一体成形される。第２の係合部１６は、ほぼコ字形をなすスリット１６１により溝１３の底壁から切り離されて、上記一方の溝壁１３１の上下中間から屈折して後方かつ若干斜め下方へ突出する弾性変形可能な舌片状に形成してある。第２の係合部１６は、その後縁が、回動により移動する仕切壁２の下縁２１の移動軌跡上の位置で、仕切壁２が上記所定の傾斜起立姿勢となったときに仕切壁２の下縁２１と対向する位置へ突設してある。第２の係合部１６の後縁には仕切壁２の下縁２１を嵌合する嵌合溝部１６０を備えている。
【００２０】
第２の係合部１６も第１の係合部１５と同様に、仕切壁２を回動して上記所定の傾斜起立姿勢としたとき、第２の係合部１６が撓み変形しつつ、その係合溝部１６０と仕切壁２の下縁２１とが嵌合し、第２の係合部１６の弾性復帰力により仕切壁２を上記傾斜起立姿勢に保持する。これによりカップ保持部１ａ内に小径の飲料容器Ｄ２を収納保持することができる。第２の係合部材１６も仕切壁２の上縁２２を起立方向または倒伏方向へ押すことで容易に係合解除できる。
【００２１】
このように構成したカップホルダー１は、車両の運転席シートおよび助手席シートの斜め前方の車室フロアの幅方向中央部で、乗員が前席と後席との間を移動可能な通路の前端位置に設置することが望ましい。。カップホルダー１は、車両の前後方向に沿って物入れ部１ｂを前側にカップ保持部１ａを後側に配し、底壁１２ａ，１２ｂの複数の取付け穴１８を貫通する複数のボルト部材により車室フロアに固定する。
【００２２】
カップホルダー１は、カップ保持部１ａと物入れ部１ｂとを仕切る仕切壁２を起倒可能としたので、必要に応じて、仕切壁２を起立せしめてカップ保持部１ａで飲料容器Ｄを収納保持することができる一方、仕切壁２を倒すことで本体１０の内部全体を仕切りのない物入れとして使用することができ、例えばティッシュボックスＴ等の比較的大きな物を収納することができる。
【００２３】
また、カップホルダー１は、第１および第２の係合部１５，１６により、仕切壁２をほぼ垂直に起立した垂直起立姿勢とカップ保持部１ａ側に所定の角度で傾斜した傾斜起立姿勢とに保持するようにしたので、このように起立姿勢を変えることによりカップ保持部１ａで径の異なる複数種の飲料容器Ｄ１，Ｄ２を安定に収納保持することができる。本実施形態では、仕切壁２の起立回動時にこれを垂直起立姿勢と傾斜起立姿勢とに保持可能な構造としたが、これに限らず、仕切壁２を垂直起立姿勢のみ、または傾斜起立姿勢のみに保持するようにしてもよい。また、本実施形態では、仕切壁２を１枚の板体で構成したが、これを左右２枚に分割して、それぞれ独立に起倒回動自在に設けてもよい。
【００２４】
図６は本発明を適用した他のカップホルダーを示し、カップホルダー１Ａは、上述のカップホルダー１の前端に、固定の仕切壁１９により物入れ部１ｂとは仕切られた略メガネ形のカップ保持部１ｃを一体に成形したもので、他の構造は上述のカップホルダー１と同様でその説明を省略する。カップホルダー１Ａは、これを運転席シートと助手席シートとの間の車室フロア上に設置する。これによれば、前側のカップ保持部１ｃを前席側で使用することができ、後側のカップ保持部１ａを後席側で使用することができる。特に前席側よりも使用頻度の低い後席側のカップ保持部１ａを起倒可能な仕切壁２により折り畳み可能としたので、物入れとして使い勝手がよい。
【００２５】
【発明の効果】
本発明のカップホルダーによれば、容器状の本体をカップ保持部と物入れ部とに仕切る仕切壁を起倒回動自在に設けたので、仕切壁を起立せしめて構成したカップ保持部で安定に飲料容器を収納保持することができ、かつカップ保持部不使用時には仕切壁を倒すことで仕切りのない物入れとして使用することができ、用途が広く使い勝手がよい。また本発明のカップホルダーによれば、共通のカップ保持部で径の異なる飲料容器を安定に保持することができる。
【図面の簡単な説明】
【図１】本発明のカップホルダーを示し、図１（Ａ）は仕切壁を立ててカップ保持部と物入れ部とを区画した状態の斜視図、図１（Ｂ）は仕切壁を倒して物入れ部を拡張した状態の斜視図である。
【図２】図１（Ａ）のＩＩ−ＩＩ線に沿う断面図である。
【図３】上記カップホルダーの平面図である。
【図４】図３のＩＶ−ＩＶ線の沿う位置での仕切壁を垂直起立姿勢に保持せしめた状態の断面図である。
【図５】図３のＶ−Ｖ線の沿う位置での仕切壁を傾斜起立姿勢に保持せしめた状態の断面図である。
【図６】本発明を適用した他のカップホルダーの斜視図である。
【図７】従来のコンソール組込みタイプのカップホルダーの概略説明図である。
【図８】上記コンソール組込みタイプのカップホルダーの縦断面図である。
【図９】従来のトレータイプのカップホルダーの斜視図である。
【図１０】図９のＸ−Ｘ線に沿う断面図である。
【符号の説明】
１  カップホルダー
１ａ  カップ保持部
１ｂ  物入れ部
１０  本体
１１  周壁
１２ａ，１２ｂ  底壁
１５，１６  係合部
Ｄ  飲料容器
Ｄ１  大径のもの
Ｄ２  小径のもの
【図１】
2004217145.tif 000003
【図２】
2004217145.tif 000004
【図３】
2004217145.tif 000005
【図４】
2004217145.tif 000006
【図５】
2004217145.tif 000007
【図６】
2004217145.tif 000008
【図７】
2004217145.tif 000009
【図８】
2004217145.tif 000010
【図９】
2004217145.tif 000011
【図１０】
2004217145.tif 000012